(57)【要約】  【課題】表示内容を分割したり縮小して、一覧表示するような場合であったとしても、ユーザーが内容を的確に理解することができるようにする情報処理装置を提供すること。  【解決手段】表示可能領域を複数の領域に区分し、区分した領域毎に表示内容を分割縮小して表示する分割表示手段を備えた情報処理装置１において、スクロール表示を希望する領域の選択操作を可能にする入力手段から得られる情報に基づいて、区分した領域の１つ、又は２つ以上を選択する選択手段と、選択された領域に表示されている内容をスクロールさせて表示するスクロール表示手段とを装備する。  【選択図】  図１
2005128744.tif 000002
【特許請求の範囲】
【請求項１】
表示可能領域を複数の領域に区分し、区分した領域毎に表示内容を分割縮小して表示す
る分割表示手段を備えた情報処理装置において、
スクロール表示を希望する領域の選択操作を可能にする第１の入力手段から得られる情
報に基づいて、前記区分した領域の１つ、又は２つ以上を選択する第１の選択手段と、
該第１の選択手段により選択された領域に表示されている内容をスクロールさせて表示
する第１のスクロール表示手段とを備えていることを特徴とする情報処理装置。
【請求項２】
表示可能領域を複数の領域に区分し、区分した領域毎に表示内容を分割縮小して表示す
る分割表示手段を備えた情報処理装置において、
スクロール表示を希望する領域の選択操作を可能にする第１の入力手段から得られる情
報に基づいて、前記区分した領域の１つ、又は２つ以上を選択する第１の選択手段と、
該第１の選択手段により選択された領域をスクロール表示の対象領域に指定する指定手
段と、
スクロール指示操作を可能にする第２の入力手段を介したスクロール指示操作に基づい
て、前記指定手段により指定された領域に表示されている内容をスクロールさせて表示す
る第２のスクロール表示手段とを備えていることを特徴とする情報処理装置。
【請求項３】
横方向、又は縦方向に表示しきれない内容が存在しないように、表示形態を設定する表
示形態設定手段を備え、
前記分割表示手段が、前記表示形態設定手段により設定された表示形態に従って、前記
区分した領域毎に表示内容を分割縮小して表示するものであることを特徴とする請求項１
又は請求項２記載の情報処理装置。
【請求項４】
前記区分した各領域に、領域を区別するための符号を表示する符号表示手段を備えてい
ることを特徴とする請求項１〜３のいずれかの項に記載の情報処理装置。
【請求項５】
前記第１の入力手段が、前記符号の選択によってスクロール表示を希望する領域の操作
を可能にするものであり、
前記第１の選択手段が、前記第１の入力手段を介した前記符号の選択操作に基づいて、
前記区分した領域を選択するものであることを特徴とする請求項４記載の情報処理装置。
【請求項６】
区分数を設定する区分数設定手段を備え、
前記分割表示手段が、前記区分数設定手段により設定された区分数に基づいて、前記表
示可能領域を複数の領域に区分し、区分した領域毎に表示内容を分割縮小して表示するも
のであることを特徴とする請求項１〜５のいずれかの項に記載の情報処理装置。
【請求項７】
前記区分数設定手段が、区分数の設定操作を可能にする第３の入力手段から得られる情
報に基づいて、区分数を設定するものであることを特徴とする請求項６記載の情報処理装
置。
【請求項８】
前記区分数設定手段が、表示内容に基づいて、区分数を設定するものであることを特徴
とする請求項６記載の情報処理装置。
【請求項９】
前記区分した領域毎に、表示制御手段への表示指示が完了しているか否かを判断する判
断手段と、
該判断手段による判断結果に基づいて、前記表示指示が完了しているか否かの告知を前
記区分した領域毎に行う告知手段とを備えていることを特徴とする請求項１〜８のいずれ
かの項に記載の情報処理装置。
【請求項１０】
拡大表示を希望する領域の選択操作を可能にする第４の入力手段から得られる情報に基
づいて、前記区分した領域の１つを選択する第２の選択手段と、
該第２の選択手段により選択された領域に表示されている内容を拡大させて表示する拡
大表示手段とを備えていることを特徴とする請求項１〜９のいずれかの項に記載の情報処
理装置。
【発明の詳細な説明】
【技術分野】
【０００１】
本発明は情報処理装置に関し、より詳細には、文字や画像を表示する情報処理装置に関
する。
【背景技術】
【０００２】
従来の情報処理装置（例えば、パソコン、携帯端末）では、インターネットを介してＷ
ｅｂサーバーへアクセスし、ＨＴＭＬ（hypertext markup language ）ファイルや画像デ
ータなどの送信を要求し、前記Ｗｅｂサーバーから送信されてきたＨＴＭＬファイルや画
像データに基づいて、ディスプレイ上に文字や画像の表示を行う際、表示内容が表示可能
領域よりも大きいとスクロールバーを表示することによって、見えない部分を表示させる
ことができるようにしていた。
【０００３】
ところが、これではユーザーがいちいちスクロールバーを操作しなければ、全体を見る
ことはできなかった。また、全体を一度に表示させることはできないため、全体を把握す
ることは非常に難しかった。
【０００４】
また、ウィンドウシステムを採用しているＯＳ（operating system）で、ディスプレイ
上に複数のウィンドウを開いている場合、これらウィンドウに表示されている内容を一度
に見えるようにするためには、各ウィンドウを縮小させて、それぞれ重ならないようにデ
ィスプレイ上に配置する必要があり、非常に操作が煩わしかった。
【０００５】
表示内容が表示可能領域よりも大きい場合、例えば、前記表示内容を分割し、そして縮
小し、一覧表示することによって、全体を一度に表示させることができる（例えば、下記
の特許文献１、２参照）。また、複数のウィンドウに表示されている内容を一度に見える
ようにするには、上記したように、各ウィンドウを縮小し、各ウィンドウが重ならないよ
うに配置変換して、一覧表示するようにすれば良い。
【０００６】
しかしながら、表示内容を分割し、縮小して一覧表示する際、分割表示された１つの領
域に文章や画像が収まり切らず、２つ以上の領域をまたがって文章や画像が表示され、内
容の理解がかえって難しくなるおそれがある。また、複数のウィンドウを一覧表示する際
にも、各ウィンドウを縮小させるので、ウィンドウ内に文章や画像が収まり切らず、文章
や画像が途中で切れてしまい、やはり内容の理解が難しくなるおそれがある。
【特許文献１】特開平１０−１０５５４９号公報
【特許文献２】特開平９−２４４８３６号公報
【発明の開示】
【課題を解決するための手段及びその効果】
【０００７】
本発明は上記課題に鑑みなされたものであって、表示内容を分割したり、縮小して、一
覧表示するような場合であったとしても、ユーザーが内容を的確に理解することができる
ようにする情報処理装置を提供することを目的としている。
【０００８】
上記目的を達成するために本発明に係る情報処理装置（１）は、表示可能領域を複数の
領域に区分し、区分した領域毎に表示内容を分割縮小して表示する分割表示手段を備えた
情報処理装置において、スクロール表示を希望する領域の選択操作を可能にする第１の入
力手段から得られる情報に基づいて、前記区分した領域の１つ、又は２つ以上を選択する
第１の選択手段と、該第１の選択手段により選択された領域に表示されている内容をスク
ロールさせて表示する第１のスクロール表示手段とを備えていることを特徴としている。
【０００９】
上記情報処理装置（１）によれば、表示可能領域が複数の領域に区分され、区分された
領域毎に表示内容が分割縮小されて表示される。従って、表示内容が表示可能領域よりも
大きかったとしても、区分した領域毎に前記表示内容を分割縮小して表示することによっ
て、一覧表示することが可能となり、全体を把握し易くすることができる。また、ディス
プレイ上に複数のウィンドウが開いていているような場合に、区分した領域毎に各ウィン
ドウそれぞれに表示されている内容を縮小して表示することによって、これら複数のウィ
ンドウに表示されている内容を一度に見えるように一覧表示することが可能となる。
【００１０】
ところで、区分した領域毎に表示内容を分割縮小して一覧表示する際、１つの領域に文
章や画像が収まり切らず、２つ以上の領域をまたがって文章や画像が表示され、内容の理
解がかえって難しくなるおそれがある。また、複数のウィンドウに表示されている内容を
一覧表示する際にも、各ウィンドウに表示されている内容を縮小させるので、各領域内に
文章や画像が収まり切らず、文章や画像が途中で切れてしまい、やはり内容の理解が難し
くなるおそれがある。
【００１１】
しかしながら、上記情報処理装置（１）によれば、ユーザーによりスクロール表示を希
望する領域が選択されると、選択された領域に表示されている内容が自動的にスクロール
される。従って、１つの領域に文章や画像が収まり切らず、２つ以上の領域にまたがって
文章や画像が表示されていたとしても、スクロール表示によって、内容を理解し易くする
ことができる。
【００１２】
さらに、上記情報処理装置（１）によれば、２つ以上の領域に対し、同時にスクロール
表示可能となっている。すなわち、１つの領域だけでなく、２つ以上の領域に対し、同時
にスクロール表示可能となっているため、ユーザーは所望の箇所をより素早く見つけるこ
とができる。これは、所望の画像を見つけるのに特に有効である。
【００１３】
また、本発明に係る情報処理装置（２）は、表示可能領域を複数の領域に区分し、区分
した領域毎に表示内容を分割縮小して表示する分割表示手段を備えた情報処理装置におい
て、スクロール表示を希望する領域の選択操作を可能にする第１の入力手段から得られる
情報に基づいて、前記区分した領域の１つ、又は２つ以上を選択する第１の選択手段と、
該第１の選択手段により選択された領域をスクロール表示の対象領域に指定する指定手段
と、スクロール指示操作を可能にする第２の入力手段を介したスクロール指示操作に基づ
いて、前記指定手段により指定された領域に表示されている内容をスクロールさせて表示
する第２のスクロール表示手段とを備えていることを特徴としている。
【００１４】
上記情報処理装置（２）によれば、表示可能領域が複数の領域に区分され、区分された
領域毎に表示内容が分割縮小されて表示される。従って、表示内容が表示可能領域よりも
大きかったとしても、区分した領域毎に前記表示内容を分割縮小して表示することによっ
て、一覧表示することが可能となり、全体を把握し易くすることができる。また、ディス
プレイ上に複数のウィンドウが開いていているような場合に、区分した領域毎に各ウィン
ドウそれぞれに表示されている内容を縮小して表示することによって、これら複数のウィ
ンドウに表示されている内容を一度に見えるように一覧表示することが可能となる。
【００１５】
また、上記情報処理装置（２）によれば、ユーザーによりスクロール表示を希望する領
域が選択され、スクロール表示が指示されると、選択された領域に表示されている内容が
スクロールされる。従って、１つの領域に文章や画像が収まり切らず、２つ以上の領域に
またがって文章や画像が表示されていたとしても、スクロール表示によって、内容を理解
し易くすることができる。また、スクロール表示については、ユーザーが指示することが
できるため、ユーザーの望むタイミングにぴったり合わせて、スクロール表示させること
ができる。
【００１６】
さらに、上記情報処理装置（２）によれば、２つ以上の領域に対し、同時にスクロール
表示可能となっている。すなわち、１つの領域だけでなく、２つ以上の領域に対し、同時
にスクロール表示可能となっているため、ユーザーは所望の箇所をより素早く見つけるこ
とができる。これは、所望の画像を見つけるのに特に有効である。
【００１７】
また、本発明に係る情報処理装置（３）は、上記情報処理装置（１）又は（２）におい
て、横方向、又は縦方向に表示しきれない内容が存在しないように、表示形態を設定する
表示形態設定手段を備え、前記分割表示手段が、前記表示形態設定手段により設定された
表示形態に従って、前記区分した領域毎に表示内容を分割縮小して表示するものであるこ
とを特徴としている。
【００１８】
ところで、区分した領域毎に表示内容を分割縮小して一覧表示する際、１つの領域に文
章や画像が収まり切らず、縦方向（上下方向、列方向）、横方向（左右方向、行方向）の
いずれにもはみ出してしまうと、当然のことではあるが、縦方向、横方向の両方向へスク
ロールさせて表示させなければ、全体を把握することはできない。
しかしながら、縦方向、横方向の両方向へスクロールさせなければ、全体を把握するこ
とができないのでは、内容の理解を難しくしてしまうおそれがある。
【００１９】
上記情報処理装置（３）によれば、横方向、又は縦方向に表示しきれない内容（例えば
、文字や画像）が存在しないように、表示形態が設定され、設定された表示形態に従って
、前記区分した領域毎に表示内容が分割縮小されて表示される。換言すれば、１つの領域
に文章や画像が収まり切らなかったとしても、縦方向、又は横方向のいずれか一方向にだ
けはみ出すようにすることができる。これにより、縦方向、横方向のいずれか一方向のみ
にスクロール表示が必要となるようにすることができるので、上記問題を解決することが
できる。
【００２０】
また、本発明に係る情報処理装置（４）は、上記情報処理装置（１）〜（３）のいずれ
かにおいて、前記区分した各領域に、領域を区別するための符号を表示する符号表示手段
を備えていることを特徴としている。
【００２１】
上記情報処理装置（４）によれば、前記区分した各領域に、領域を区別するための符号
（例えば、番号）が表示される。例えば、この符号を頁番号で表すようにすることによっ
て、各領域それぞれに表示されている内容どうしの繋がりを把握し易くすることができる
。
【００２２】
また、本発明に係る情報処理装置（５）は、上記情報処理装置（４）において、前記第
１の入力手段が、前記符号の選択によってスクロール表示を希望する領域の操作を可能に
するものであり、前記第１の選択手段が、前記第１の入力手段を介した前記符号の選択操
作に基づいて、前記区分した領域を選択するものであることを特徴としている。
【００２３】
上記情報処理装置（５）によれば、ユーザーは前記符号（例えば、番号）を選択するこ
とによって、スクロール表示を希望する領域を選択することができる。そのため、例えば
、画面上でポインタを移動させて、領域を指定しなくても良くなり、ユーザーにとって使
い勝手の良いものとすることができる。なお、ポインタとは、マウスカーソルやマウスポ
インタなど、画面上での位置を示すために表示されるマークのことである。
【００２４】
また、本発明に係る情報処理装置（６）は、上記情報処理装置（１）〜（５）のいずれ
かにおいて、区分数を設定する区分数設定手段を備え、前記分割表示手段が、前記区分数
設定手段により設定された区分数に基づいて、前記表示可能領域を複数の領域に区分し、
区分した領域毎に表示内容を分割縮小して表示するものであることを特徴としている。
【００２５】
上記情報処理装置（６）によれば、区分数（すなわち、表示可能領域を区分する数）は
不変ではなく、設定可能になっているため、前記表示可能領域を状況に応じた適するかた
ちで区分することができる。これにより、視認性の向上を図ることができる。
【００２６】
また、本発明に係る情報処理装置（７）は、上記情報処理装置（６）において、前記区
分数設定手段が、区分数の設定操作を可能にする第３の入力手段から得られる情報に基づ
いて、区分数を設定するものであることを特徴としている。
【００２７】
上記情報処理装置（７）によれば、ユーザーが自由に区分数を設定することができるた
め、ユーザーの希望に則したかたちで、前記表示可能領域を区分し、そして表示内容を表
示することができる。
【００２８】
また、本発明に係る情報処理装置（８）は、上記情報処理装置（６）において、前記区
分数設定手段が、表示内容に基づいて、区分数を設定するものであることを特徴としてい
る。
【００２９】
上記情報処理装置（８）によれば、表示内容に基づいて、区分数が設定されるため、例
えば、表示内容の量によって、区分数を設定することができ、表示内容の量が多い場合に
は、区分数を８に設定し、表示内容の量が少ない場合には、区分数を４に設定する。また
、表示内容が一度に表示可能となるように、区分数を設定するようにしても良い。
【００３０】
また、本発明に係る情報処理装置（９）は、上記情報処理装置（１）〜（８）のいずれ
かにおいて、前記区分した領域毎に、表示制御手段への表示指示が完了しているか否かを
判断する判断手段と、該判断手段による判断結果に基づいて、前記表示指示が完了してい
るか否かの告知を前記区分した領域毎に行う告知手段とを備えていることを特徴としてい
る。
【００３１】
ビデオチップ（描画チップ、グラフィックスチップ、グラフィックコントローラとも呼
ばれる）など表示制御手段への表示指示（描画データを送信することなど）が完了してい
ないと、文章や画像はディスプレイに適切に表示されない。従って、当然のことではある
が、前記表示指示が完了していないと、スクロール表示を適切に行うことはできない。
【００３２】
上記情報処理装置（９）によれば、前記区分された領域毎に、前記表示制御手段への表
示指示が完了しているか否か（すなわち、スクロール表示を適切に行うことができる状態
になっているか否か）が判断され、前記状態になっているか否かの告知が行われる。これ
により、ユーザーはスクロール表示を適切に行うことのできない領域に表示されている内
容をスクロール表示させる指示を出さないようにすることができる。なお、この告知の形
態としては、例えば、各領域の表示色を変化させるといった視覚効果による形態や、音声
にて案内するといった聴覚効果による形態などが挙げられる。
【００３３】
また、本発明に係る情報処理装置（１０）は、上記情報処理装置（１）〜（９）のいず
れかにおいて、拡大表示を希望する領域の選択操作を可能にする第４の入力手段から得ら
れる情報に基づいて、前記区分した領域の１つを選択する第２の選択手段と、該第２の選
択手段により選択された領域に表示されている内容を拡大させて表示する拡大表示手段と
を備えていることを特徴としている。
【００３４】
上記情報処理装置（１０）によれば、ユーザーにより拡大表示を希望する領域が選択さ
れると、選択された領域に表示されている内容が拡大表示される。例えば、前記表示可能
領域を全て使って表示される。これにより、ある特定の内容をより理解し易いように表示
させることができる。
【発明を実施するための最良の形態】
【００３５】
以下、本発明に係る情報処理装置の実施の形態を図面に基づいて説明する。図１は、実
施の形態（１）に係る情報処理装置の要部を概略的に示したブロック図である。図中１は
情報処理装置を示しており、情報処理装置１はＣＰＵ２と、ＲＯＭ３と、ＲＡＭ４と、ビ
デオチップ５と、ビデオメモリ６とを含んで構成されている。ＣＰＵ２はＲＯＭ３、ＲＡ
Ｍ４、及びビデオチップ５とバス７を介して接続されている。
【００３６】
また、情報処理装置１には文書データ（例えば、文字データや画像データを含んでいる
）などが記憶されるメモリ８、キーボード９、ポインティングデバイスであるマウス１０
、ディスプレイ１１、及びインターネットなどの通信網と接続し、外部機器との間で情報
のやり取りを可能にする通信部１２が接続されている。
【００３７】
なお、ここではディスプレイ上の位置を指定させるものとして、ポインティングデバイ
ス（マウス１０）を採用しているが、別の実施の形態では、ポインティングデバイスでは
なく、タッチパネルを採用して、ディスプレイ１１にユーザーが直接指で触れることによ
って、ディスプレイ１１上の位置を指定させることができるようにしても良い。この場合
、マウス１０などのポインティングデバイスは不要となる。また、さらに別の実施の形態
では、ポインティングデバイスとタッチパネルの両方を採用するようにしても良い。
【００３８】
次に、実施の形態（１）に係る情報処理装置１におけるＣＰＵ２の行う処理動作［１］
を図２〜図５に示したフローチャートに基づいて説明する。なお、この処理動作［１］は
キーボード９やマウス１０が操作されることによって、ユーザーからメモリ８に記憶され
ている所望の情報の表示が要求された場合に行われる動作である。また、別の実施の形態
では、タッチパネルを採用して、ディスプレイ１１上の所定の位置に触れることによって
、前記表示の要求を行うことができるようにしても良い。また、これ以降、詳しく説明し
ないが、キーボード９やマウス１０を使っての選択等の操作と同様の操作を、ディスプレ
イ１１に触れることによって行うことができるようにしても良い。
【００３９】
まず、ユーザーから表示を要求された情報をメモリ８から読み出し（ステップＳ１）、
読み出した情報に基づいて、図６に示したような表示画面の表示を実現すべく、描画指示
に関する情報をビデオチップ５へ送信する（ステップＳ２）。ビデオチップ５は、ＣＰＵ
２からの描画指示に基づいて、描画イメージデータを生成し、生成した描画イメージデー
タをビデオメモリ６に書き込み、完成した描画イメージデータをディスプレイ１１へ送信
するようになっている。なお、前記表示画面の右上には、後で説明する「一覧表示」キー
１３、及び「設定」キー１４が表示されるようになっている。
【００４０】
次に、キーボード９やマウス１０が操作されることによって、ユーザーから表示内容の
全体が見えるような一覧表示（図７参照）が要求されたか否かを判断する（ステップＳ３
）。例えば、表示画面の右上に表示されている「一覧表示」キー１３（図６参照）が選択
されたか否かを判断する。一覧表示が要求されたと判断すれば、一覧表示を行うための処
理を行う（ステップＳ４、図３、図４参照）。なお。「一覧表示」キー１３の選択方法と
しては、マウス１０を使ってポインタを「一覧表示」キー１３上まで移動させ、そこでマ
ウス１０をクリックするといった方法が挙げられる。
【００４１】
一方、一覧表示が要求されていないと判断すれば、次に、キーボード９やマウス１０が
操作されることによって、ユーザーから一覧表示の際における区分数ｎの設定が要求され
たか否かを判断する（ステップＳ５）。例えば、表示画面の右上に表示されている「設定
」キー１４（図６参照）が選択されたか否かを判断する。
【００４２】
区分数ｎの設定が要求されたと判断すれば、次に、区分数ｎの設定を行うための処理を
行い（ステップＳ６、図５参照）、別の処理（例えば、ユーザーから表示終了の要求があ
ると、処理動作を終了する）を行い（ステップＳ７）、その後、ステップＳ３へ戻る。一
方、区分数ｎの設定が要求されていないと判断すれば、ステップＳ６における処理動作を
行う必要がないので、そのまま別の処理を行い（ステップＳ７）、その後、ステップＳ３
へ戻る。
【００４３】
次に、実施の形態（１）に係る情報処理装置１におけるＣＰＵ２の行う処理動作［１−
ａ］（図２に示したステップＳ４）を図３、図４に示したフローチャートに基づいて説明
する。ユーザーから表示内容の全体が見えるような一覧表示が要求されたと判断すれば、
まず、初期設定として、係数ｋを１に設定し、フラグｆｘ（ｆ１〜ｆｎ）を０に設定する
と共に、表示対象となっている情報がどの位置まで表示されているかを示す表示最終位置
ｅを０（先頭位置）に設定する（ステップＳ１１、Ｓ１２）。
【００４４】
次に、区分数ｎ（デフォルトは６）に基づいて、１区分での表示領域を算出し（ステッ
プＳ１３）、１区分での表示領域の大きさ、及び表示対象となっている情報の量に基づい
て、横方向に表示しきれない内容が存在しないように、表示縮小率ｓを算出する（ステッ
プＳ１４）。なお、別の実施の形態では、横方向ではなく、縦方向に表示しきれない内容
が存在しないように、表示縮小率ｓを求めるようにしても良い。
【００４５】
表示対象となっている情報を、算出した表示縮小率ｓで縮小させ、第ｋの領域（ｎ区分
した領域の一つ）に表示最終位置ｅ（すなわち、前回の表示最終位置）の次の位置から表
示させた場合の、第ｋの領域での表示最終位置ｅ’（すなわち、次回の表示最終位置）を
検出し（ステップＳ１５）、次に、第ｋの領域に表示縮小率ｓで縮小させた情報を、表示
最終位置ｅの次の位置から表示させるべく、描画指示に関する情報をビデオチップ５へ送
信し（ステップＳ１６）、その後、表示最終位置ｅを表示最終位置ｅ’に変更する（ステ
ップＳ１７）。なお、この時、図８に示したように、第ｋの領域の全部、又はその一部、
もしくはその周囲の表示色を変化させる描画指示を出すようにしても良い。また、一覧表
示された画面には、区分された領域それぞれに番号（１〜ｎ）や、後で説明する「□」キ
ー１５が表示されるようになっている。
【００４６】
次に、キーボード９やマウス１０が操作されることによって、ユーザーからある特定の
領域に表示されている内容の拡大表示（例えば、全面表示）が要求されたか否かを判断す
る（ステップＳ２１、図４）。例えば、各領域の右上に表示されている「□」キー１５（
図７参照）が選択されたか否かを判断する。
【００４７】
拡大表示が要求されたと判断すれば、該当する領域に表示されている内容を全面表示さ
せるべく、描画指示に関する情報をビデオチップ５へ送信し（ステップＳ２２）、その後
、ステップＳ３（図２）へ進む。一方、拡大表示が要求されていないと判断すれば、次に
、表示画面の左下に表示されている番号「１」〜「ｎ」キー１６（図７参照）のいずれか
が選択されたか否かを判断する（ステップＳ２３）。なお、番号「１」〜「ｎ」キー１６
は、キーボード９やマウス１０で領域の選択を容易にするために設けられたものであるが
、各領域それぞれを直接選択するだけで良いのであれば、これらキー１６は設けなくても
良く、特にタッチパネルが採用されて、各領域それぞれを直接選択することが難しくない
場合には、これらキー１６を設けなくても不都合は生じない。
【００４８】
番号「１」〜「ｎ」キー１６のいずれかが選択されたと判断すれば、次に、対応するフ
ラグｆｘ（ｆ１〜ｆｎ）が０であるか否かを判断する（ステップＳ２４）。フラグｆｘが
０であると判断すれば、次に、選択された番号キーの色を変化させる（例えば、元の色が
青色であれば、赤色に変化させる）と共に、対応する領域に表示されている内容を下方向
にスクロール表示させるべく、描画指示に関する情報をビデオチップ５へ送信し（ステッ
プＳ２５）、フラグｆｘを１にし（ステップＳ２６）、その後、ステップＳ２９へ進む。
なお、領域の選択については、番号キーの選択によるだけでなく、領域そのものの選択で
あっても良い。領域そのものの選択方法としては、例えば、マウス１０を操作してポイン
タを所望の領域まで移動させて、そこでクリックするといった方法が挙げられる。
【００４９】
一方、フラグｆｘが０でない（すなわち、フラグｆｘは１である）と判断すれば、次に
、選択された番号キーの色を元の色に戻させると共に、対応する領域におけるスクロール
表示を停止させるべく、描画指示に関する情報をビデオチップ５へ送信し（ステップＳ２
７）、フラグｆｘを０にし（ステップＳ２８）、その後、ステップＳ２９へ進む。また、
ステップＳ２３において、番号「１」〜「ｎ」キー１６のいずれも選択されていないと判
断すれば、そのままステップＳ２９へ進む。
【００５０】
ステップＳ２９では、表示画面の左下に表示されている「戻る」キー１７（図７参照）
が選択されたか否かを判断し、「戻る」キー１７が選択されたと判断すれば、ステップＳ
２（図２）へ戻って元の画面を表示する。一方、「戻る」キー１７が選択されていないと
判断すれば、次に、別の処理（例えば、ユーザーから表示終了の要求があると、処理動作
を終了する）を行い（ステップＳ３０）、その後、係数ｋに１を加算し（ステップＳ３１
）、係数ｋが区分数ｎを超えているか否かを判断する（ステップＳ３２）。
【００５１】
係数ｋが区分数ｎを超えていないと判断すれば、第ｋの領域に情報を表示させる必要が
あると判定し、その後、ステップＳ１５（図３）へ戻る。一方、係数ｋが区分数ｎを超え
ていると判断すれば、第ｋの領域に情報を表示させる必要はないと判定し、その後、ステ
ップＳ２１へ戻る。
【００５２】
次に、実施の形態（１）に係る情報処理装置１におけるＣＰＵ２の行う処理動作［１−
ｂ］（図２に示したステップＳ６）を図５に示したフローチャートに基づいて説明する。
ユーザーから区分数ｎの設定が要求されたと判断すれば、まず、区分数ｎの設定画面を表
示させるべく、描画指示に関する情報をビデオチップ５へ送信し（ステップＳ４１）、そ
の後、前記設定画面を通じて、ユーザーから数値の入力が行われたか否かを判断する（ス
テップＳ４２）。
【００５３】
数値の入力が行われたと判断すれば、次に、入力された数値が２以上８以下であるか否
かを判断し（ステップＳ４３）、入力された数値が２以上８以下であると判断すれば、次
に、入力された数値を区分数ｎに設定し（ステップＳ４４）、その後、ユーザーから設定
の終了が要求されたか否かを判断する（ステップＳ４５）。
【００５４】
設定の終了が要求されたと判断すれば、次に、区分数の設定画面を消去させるべく、描
画指示に関する情報をビデオチップ５へ送信する（ステップＳ４６）。一方、設定の終了
は要求されていないと判断すれば、ステップＳ４２へ戻る。また、ステップＳ４３におい
て、入力された数値が２以上８以下でないと判断した場合にも、ステップＳ４２へ戻る。
また、ステップＳ４２において、数値の入力は行われていないと判断した場合には、ステ
ップＳ４５へ進む。
【００５５】
上記実施の形態（１）に係る情報処理装置によれば、表示可能領域が複数の領域に区分
され、区分された領域（例えば、第１の領域〜第６の領域）毎に表示内容が分割縮小され
て表示される。従って、表示内容が表示可能領域よりも大きかったとしても（図６参照）
、区分した領域毎に前記表示内容を分割縮小して表示することによって、一覧表示するこ
とが可能となり（図７参照）、全体を把握し易くすることができる。
【００５６】
ところで、区分した領域毎に表示内容を分割縮小して一覧表示する際、１つの領域に文
章や画像が収まり切らず、２つ以上の領域をまたがって文章や画像が表示され、内容の理
解がかえって難しくなるおそれがあるが、ユーザーによりスクロール表示を希望する領域
が選択されると（例えば、番号キーの選択）、選択された領域に表示されている内容が自
動的にスクロールされる。従って、１つの領域に文章や画像が収まり切らず、２つ以上の
領域にまたがって文章や画像が表示されていたとしても、スクロール表示によって、内容
を理解し易くすることができる。
【００５７】
さらに、２つ以上の領域に対し、同時にスクロール表示可能となっている。すなわち、
１つの領域だけでなく、２つ以上の領域に対し、同時にスクロール表示可能となっている
ため、ユーザーは所望の箇所をより素早く見つけることができる。これは、所望の画像を
見つけるのに特に有効である。
【００５８】
次に、実施の形態（２）に係る情報処理装置について説明する。但し、実施の形態（２
）に係る情報処理装置は、ＣＰＵ２、及びＲＯＭ３を除き、図１に示した情報処理装置１
と同様の構成であるため、ＣＰＵ及び、ＲＯＭには異なる符号を付し、その他の構成部分
の説明をここでは省略する。
【００５９】
図中２１は情報処理装置を示しており、情報処理装置２１はＣＰＵ２２と、ＲＯＭ２３
と、ＲＡＭ４と、ビデオチップ５と、ビデオメモリ６とを含んで構成されている。ＣＰＵ
２２はＲＯＭ２３、ＲＡＭ４、及びビデオチップ５とバス７を介して接続されている。ま
た、情報処理装置２１にはメモリ８、キーボード９、マウス１０、ディスプレイ１１、及
び通信部１２が接続されている。
【００６０】
また、実施の形態（２）に係る情報処理装置２１におけるＣＰＵ２２の行う処理動作［
２］は、図３、図４に示した一覧表示処理を除き、図１に示した情報処理装置１における
ＣＰＵ２と同様の処理動作を行うため、ここでは情報処理装置１におけるＣＰＵ２の行う
処理動作と異なる一覧表示処理［２−ａ］についてのみ、図９、図１０に示したフローチ
ャートに基づいて説明する。
【００６１】
ユーザーから表示内容の全体が見えるような一覧表示が要求されたと判断すれば、まず
、初期設定として、係数ｋを１に設定し、フラグｆｘ（ｆ１〜ｆｎ）を０に設定すると共
に、表示対象となっている情報がどの位置まで表示されているかを示す表示最終位置ｅを
０（先頭位置）に設定する（ステップＳ５１、Ｓ５２）。
【００６２】
次に、区分数ｎ（デフォルトは６）に基づいて、１区分での表示領域を算出し（ステッ
プＳ５３）、１区分での表示領域の大きさ、及び表示対象となっている情報の量に基づい
て、横方向に表示しきれない内容が存在しないように、表示縮小率ｓを算出する（ステッ
プＳ５４）。なお、別の実施の形態では、横方向ではなく、縦方向に表示しきれない内容
が存在しないように、表示縮小率ｓを求めるようにしても良い。
【００６３】
表示対象となっている情報を、算出した表示縮小率ｓで縮小させ、第ｋの領域（ｎ区分
した領域の一つ）に表示最終位置ｅ（すなわち、前回の表示最終位置）の次の位置から表
示させた場合の、第ｋの領域での表示最終位置ｅ’（すなわち、次回の表示最終位置）を
検出し（ステップＳ５５）、次に、第ｋの領域に表示縮小率ｓで縮小させた情報を、表示
最終位置ｅの次の位置から表示させるべく、さらには、ユーザーがスクロール表示を要求
するためのスクロール開始キーを表示させるべく、描画指示に関する情報をビデオチップ
５へ送信し（ステップＳ５６）、その後、表示最終位置ｅを表示最終位置ｅ’に変更する
（ステップＳ５７）。
【００６４】
図１１に、ディスプレイ１１上に表示内容が一覧表示された場合の一例を示す。なお、
図中２４は上方向へのスクロール表示を要求するためのキーを示し、図中２５は下方向へ
のスクロール表示を要求するためのキーを示している。また、この時、第ｋの領域の全部
、又はその一部、もしくはその周囲の表示色を変化させる指示を出すようにしても良い。
また、一覧表示された画面には、区分された領域それぞれに番号（１〜ｎ）や、「□」キ
ー１５が表示されるようになっている。
【００６５】
次に、キーボード９やマウス１０が操作されることによって、ユーザーからある特定の
領域に表示されている内容の拡大表示（例えば、全面表示）が要求されたか否かを判断す
る（ステップＳ６１、図１０）。例えば、各領域の右上に表示されている「□」キー１５
（図１１参照）が選択されたか否かを判断する。
【００６６】
拡大表示が要求されたと判断すれば、該当する領域に表示されている内容を全面表示さ
せるべく、描画指示に関する情報をビデオチップ５へ送信し（ステップＳ６２）、その後
、ステップＳ３（図２）へ進む。一方、拡大表示が要求されていないと判断すれば、次に
、表示画面の左下に表示されている番号「１」〜「ｎ」キー１６（図１１参照）のいずれ
かが選択されたか否かを判断する（ステップＳ６３）。
【００６７】
番号「１」〜「ｎ」キー１６のいずれかが選択されたと判断すれば、次に、対応するフ
ラグｆｘ（ｆ１〜ｆｎ）が０であるか否かを判断する（ステップＳ６４）。フラグｆｘが
０であると判断すれば、次に、選択された番号キーの色を変化させる（例えば、元の色が
青色であれば、赤色に変化させる）べく、描画指示に関する情報をビデオチップ５へ送信
すると共に、フラグｆｘを１にし（ステップＳ６５）、その後、ステップＳ６７へ進む。
【００６８】
一方、フラグｆｘが０でない（すなわち、フラグｆｘは１である）と判断すれば、次に
、選択された番号キーの色を元の色に戻させるべく、描画指示に関する情報をビデオチッ
プ５へ送信すると共に、フラグｆｘを０にし（ステップＳ６６）、その後、ステップＳ６
７へ進む。また、ステップＳ６３において、番号「１」〜「ｎ」キー１６のいずれも選択
されていないと判断すれば、そのままステップＳ６７へ進む。
【００６９】
ステップＳ６７では、表示画面の左下に表示されている「△」キー２４（図１１参照）
が選択されたか否かを判断し、「△」キー２４が選択されたと判断すれば、１であるフラ
グｆｘに対応する領域に表示されている内容を上方向にスクロール表示させるべく、描画
指示に関する情報をビデオチップ５へ送信し（ステップＳ６８）、その後、ステップＳ６
９へ進む。一方、「△」キー２４は選択されていないと判断すれば、そのままステップＳ
６９へ進む。
【００７０】
ステップＳ６９では、表示画面の左下に表示されている「▽」キー２５（図１１参照）
が選択されたか否かを判断し、「▽」キー２５が選択されたと判断すれば、１であるフラ
グｆｘに対応する領域に表示されている内容を下方向にスクロール表示させるべく、描画
指示に関する情報をビデオチップ５へ送信し（ステップＳ７０）、その後、ステップＳ７
１へ進む。一方、「▽」キー２５は選択されていないと判断すれば、そのままステップＳ
７１へ進む。
【００７１】
ステップＳ７１では、表示画面の左下に表示されている「戻る」キー１７（図１１参照
）が選択されたか否かを判断し、「戻る」キー１７が選択されたと判断すれば、ステップ
Ｓ２（図２）へ戻って元の画面を表示する。一方、「戻る」キー１７が選択されていない
と判断すれば、次に、別の処理（例えば、ユーザーから表示終了の要求があると、処理動
作を終了する）を行い（ステップＳ７２）、その後、係数ｋに１を加算し（ステップＳ７
３）、係数ｋが区分数ｎを超えているか否かを判断する（ステップＳ７４）。
【００７２】
係数ｋが区分数ｎを超えていないと判断すれば、第ｋの領域に情報を表示させる必要が
あると判定し、その後、ステップＳ５５（図９）へ戻る。一方、係数ｋが区分数ｎを超え
ていると判断すれば、第ｋの領域に情報を表示させる必要はないと判定し、その後、ステ
ップＳ６１へ戻る。
【００７３】
上記実施の形態（２）に係る情報処理装置によれば、表示可能領域が複数の領域に区分
され、区分された領域（例えば、第１の領域〜第６の領域）毎に表示内容が分割縮小され
て表示される。従って、表示内容が表示可能領域よりも大きかったとしても（図６参照）
、区分した領域毎に前記表示内容を分割縮小して表示することによって、一覧表示するこ
とが可能となり（図１１参照）、全体を把握し易くすることができる。
【００７４】
ところで、区分した領域毎に表示内容を分割縮小して一覧表示する際、１つの領域に文
章や画像が収まり切らず、２つ以上の領域をまたがって文章や画像が表示され、内容の理
解がかえって難しくなるおそれがあるが、ユーザーによりスクロール表示を希望する領域
が選択され（例えば、番号キーの選択）、スクロール表示が要求されると（例えば、「△
」キー２４、「▽」キー２５の選択）、選択された領域に表示されている内容がスクロー
ルされる。従って、１つの領域に文章や画像が収まり切らず、２つ以上の領域にまたがっ
て文章や画像が表示されていたとしても、スクロール表示によって、内容を理解し易くす
ることができる。また、スクロール開始、及び方向については、ユーザーが指示すること
ができるため、ユーザーの望むタイミングにぴったり合わせて、またユーザーの望む方向
に、スクロール表示させることができる。
【００７５】
さらに、２つ以上の領域に対し、同時にスクロール表示可能となっている。すなわち、
１つの領域だけでなく、２つ以上の領域に対し、同時にスクロール表示可能となっている
ため、ユーザーは所望の箇所をより素早く見つけることができる。これは、所望の画像を
見つけるのに特に有効である。
【００７６】
上記実施の形態（１）又は（２）に係る情報処理装置では、２以上の領域それぞれに表
示されている内容を同時にスクロール表示させることができるようになっているが、別の
実施の形態に係る情報処理装置では、例えば、図１２に示したように、各領域毎にスクロ
ール表示キー２６、２７を表示させ、それぞれ個別にスクロール表示させることができる
ようにしても良い。
【００７７】
また、上記実施の形態（１）又は（２）に係る情報処理装置では、区分数ｎをユーザー
が自由に設定できるようにしているが、別の実施の形態に係る情報処理装置では、表示対
象となっている情報量（表示内容の量）などによって、区分数ｎを自動的に設定するよう
にしても良く、例えば、表示内容の量が多い場合には、区分数ｎを８に設定し、表示内容
の量が少ない場合には、区分数ｎを４に設定するようにしても良い。
【００７８】
また、上記実施の形態（１）又は（２）に係る情報処理装置では、メモリ８から読み出
した情報を表示する場合についてのみ説明しているが、本発明に係る情報処理装置は、こ
の場合に限定されるものではなく、例えば、通信部１２を介して得られたＷｅｂページな
どを表示する場合に用いたり、また、ディスプレイ１１上に複数のウィンドウが開いてい
る場合に、これら複数のウィンドウを一覧表示させる場合にも用いることができる。
【図面の簡単な説明】
【００７９】
【図１】本発明の実施の形態（１）に係る情報処理装置の要部を概略的に示したブロック図である。
【図２】実施の形態（１）に係る情報処理装置におけるＣＰＵの行う処理動作を示したフローチャートである。
【図３】実施の形態（１）に係る情報処理装置におけるＣＰＵの行う処理動作を示したフローチャートである。
【図４】実施の形態（１）に係る情報処理装置におけるＣＰＵの行う処理動作を示したフローチャートである。
【図５】実施の形態（１）に係る情報処理装置におけるＣＰＵの行う処理動作を示したフローチャートである。
【図６】実施の形態（１）に係る情報処理装置において、ディスプレイ上における表示の一例を示した図である。
【図７】実施の形態（１）に係る情報処理装置において、ディスプレイ上における表示の一例を示した図である。
【図８】別の実施の形態に係る情報処理装置において、ディスプレイ上における表示の一例を示した図である。
【図９】実施の形態（２）に係る情報処理装置におけるＣＰＵの行う処理動作を示したフローチャートである。
【図１０】実施の形態（２）に係る情報処理装置におけるＣＰＵの行う処理動作を示したフローチャートである。
【図１１】実施の形態（２）に係る情報処理装置において、ディスプレイ上における表示の一例を示した図である。
【図１２】別の実施の形態に係る情報処理装置において、ディスプレイ上における表示の一例を示した図である。
【符号の説明】
【００８０】
１、２１  情報処理装置
２、２２  ＣＰＵ
２、２３  ＲＯＭ
５  ビデオチップ
６  ビデオメモリ
１１  ディスプレイ
【図１】
2005128744.tif 000003
【図２】
2005128744.tif 000004
【図３】
2005128744.tif 000005
【図４】
2005128744.tif 000006
【図５】
2005128744.tif 000007
【図６】
2005128744.tif 000008
【図７】
2005128744.tif 000009
【図８】
2005128744.tif 000010
【図９】
2005128744.tif 000011
【図１０】
2005128744.tif 000012
【図１１】
2005128744.tif 000013
【図１２】
2005128744.tif 000014